(57)【特許請求の範囲】
【請求項１】
夫々が複数のコンテンツにより構成される複数のサービスに共通する共通表示メニューをユーザが用いる端末に提供するメニュー生成サーバであって、
前記端末からの共通表示メニュー取得要求に応じて、前記複数のサービス夫々のトップコンテンツに遷移可能な共通表示メニューを生成する生成部と、
生成した共通表示メニューを前記端末に対して提供する提供部と、
を備え、
前記生成部は、
前記共通表示メニュー取得要求を行った前記端末が利用する傾向にあるコンテンツ種別を特定する特定部と、
前記サービスを構成する複数のコンテンツから、前記コンテンツ種別に応じた特定コンテンツを取得する取得部と、
取得した前記特定コンテンツに遷移可能な追加メニューを前記共通表示メニューに対して追加する追加部と、
を含むメニュー生成サーバ。
【請求項２】
前記特定部は、前記共通表示メニュー取得要求を行ったタイミングで前記端末に対して提供されているコンテンツに基づいて、前記コンテンツ種別を特定する、
請求項１に記載のメニュー生成サーバ。
【請求項３】
前記特定部は、前記共通表示メニュー取得要求を行ったタイミングよりも前に前記端末に対して提供されたコンテンツの履歴に基づいて、前記コンテンツ種別を特定する、
請求項１に記載のメニュー生成サーバ。
【請求項４】
前記取得部が前記共通表示メニューを利用する前記複数のサービスのうちの２以上のサービスにおいて前記特定コンテンツを取得した場合、
前記追加部は、前記２以上のサービスのうちの一部のサービスについての前記特定コンテンツに遷移可能な追加メニューを前記共通表示メニューに対して追加する、
請求項１から３の何れか１項に記載のメニュー生成サーバ。
【請求項５】
前記取得部は、前記共通表示メニューを利用する前記複数のサービスのうちの一部のサービスを対象として、当該サービスを構成する複数のコンテンツから前記特定コンテンツを取得する、
請求項１から３の何れか１項に記載のメニュー生成サーバ。
【請求項６】
前記取得部が一のサービスから複数の前記特定コンテンツを取得した場合、
前記追加部は、前記複数の特定コンテンツのうちの一部の特定コンテンツに遷移可能な追加メニューを前記共通表示メニューに対して追加する、
請求項１から５の何れか１項に記載のメニュー生成サーバ。
【請求項７】
ユーザが用いる端末と、夫々が複数のコンテンツにより構成される複数のサービスに共通する共通表示メニューを当該端末に提供するメニュー生成サーバとを備えるメニュー表示システムであって、
前記端末は、
前記端末に組み込まれた共通メニュー表示モジュールにより表示される前記複数のサービスに共通して表示され、前記サービスと異なるサービスへのリンクを含む共通表示メニューを前記メニュー生成サーバから取得して表示部に表示させる表示制御部を備え、
前記メニュー生成サーバは、
前記端末からの共通表示メニュー取得要求に応じて、前記複数のサービス夫々のトップコンテンツに遷移可能な共通表示メニューを生成する生成部と、
生成した共通表示メニューを前記端末に対して提供する提供部と、
を備え、
前記生成部は、
前記共通表示メニュー取得要求を行った前記端末が利用する傾向にあるコンテンツ種別を特定する特定部と、
前記サービスを構成する複数のコンテンツから、前記コンテンツ種別に応じた特定コンテンツを取得する取得部と、
取得した前記特定コンテンツに遷移可能な追加メニューを前記共通表示メニューに対して追加する追加部と、
を含むメニュー表示システム。
【請求項８】
夫々が複数のコンテンツにより構成される複数のサービスに共通する共通表示メニューをユーザが用いる端末に提供するメニュー生成方法であって、
前記端末からの共通表示メニュー取得要求に応じて、前記複数のサービス夫々のトップコンテンツに遷移可能な共通表示メニューを生成するステップと、
前記共通表示メニュー取得要求を行った前記端末が利用する傾向にあるコンテンツ種別を特定するステップと、
前記サービスを構成する複数のコンテンツから、前記コンテンツ種別に応じた特定コンテンツを取得するステップと、
取得した前記特定コンテンツに遷移可能な追加メニューを前記共通表示メニューに対して追加するステップと、
前記追加メニューが追加された前記共通表示メニューを前記端末に対して提供するステップと、
を含むメニュー生成方法。
【発明の詳細な説明】
【技術分野】
【０００１】
本発明は、メニュー生成サーバ、メニュー表示システム及びメニュー生成方法に関する。
【背景技術】
【０００２】
従来、ウェブページやアプリケーションにより提供されるサービスには、当該サービスを構成するコンテンツを選択するためのメニューが設けられている（例えば、特許文献１参照）。充実したメニューを設けることにより、サービスを利用するユーザが利用したいコンテンツを容易に選択することができ、サービスの利便性が向上する。利便性の向上に伴いサービスの評価が高くなると、サービスを利用するユーザの紹介により集客効果が高まることが期待できる。
【先行技術文献】
【特許文献】
【０００３】
【特許文献１】特開２００７−１５７０９３号公報
【発明の概要】
【発明が解決しようとする課題】
【０００４】
しかしながら、サービスを利用しているユーザの数が少ない場合、利便性が高まったとしても紹介による集客効果が小さく、ユーザ数を大幅に増加させることが困難であるという問題があった。
この点、本出願人は、特願2014-91195号に示すように、複数の異なるサービスに対して共通する共通表示メニューを設け、当該共通表示メニューを用いて複数のサービス間を遷移可能にする仕組みを開発している。このような仕組みでは、サービスを利用しているユーザの総数を、個々のサービスを利用するユーザ数の和とすることができるため、集客効果を効率的に高めることができる。
【０００５】
ところで、共通表示メニューに参加する複数のサービスは、夫々が異なる管理者（以下では、「サービスパートナー」と呼ぶことがある）により管理されるため、共通表示メニューで複数のサービスを連携したとしても、サービス間の連携が十分に図れるとは限らない。ユーザがサービス間を回遊すると、共通表示メニューサービス全体での利用時間が増加し、集客効果が向上するため、共通表示メニューでは、参加する複数のサービス間の連携を強化する更なる改善が求められる。
【０００６】
本発明は、このような要望に鑑みてなされたものであり、共通表示メニューサービスに参加する複数のサービス間の連携を強化するメニュー生成サーバ、メニュー表示システム及びメニュー生成方法を提供することを目的とする。
【課題を解決するための手段】
【０００７】
本発明の第１の態様においては、夫々が複数のコンテンツにより構成される複数のサービスに共通する共通表示メニューをユーザが用いる端末に提供するメニュー生成サーバであって、前記端末からの要求に応じて、前記複数のサービス夫々のトップコンテンツに遷移可能な共通表示メニューを生成する生成部と、生成した共通表示メニューを前記端末に対して提供する提供部と、を備え、前記生成部は、前記要求を行った前記端末に応じたコンテンツ種別を特定する特定部と、前記サービスを構成する複数のコンテンツから、前記コンテンツ種別に応じた特定コンテンツを取得する取得部と、取得した前記特定コンテンツに遷移可能な追加メニューを前記共通表示メニューに対して追加する追加部と、を含むメニュー生成サーバを提供する。
【０００８】
また、前記特定部は、前記要求を行ったタイミングで前記端末に対して提供されているコンテンツに基づいて、前記コンテンツ種別を特定することとしてもよい。
【０００９】
また、前記特定部は、前記要求を行ったタイミングよりも前に前記端末に対して提供されたコンテンツの履歴に基づいて、前記コンテンツ種別を特定することとしてもよい。
【００１０】
また、前記取得部が前記共通表示メニューを利用する前記複数のサービスのうちの２以上のサービスにおいて前記特定コンテンツを取得した場合、前記追加部は、前記２以上のサービスのうちの一部のサービスについての前記特定コンテンツに遷移可能な追加メニューを前記共通表示メニューに対して追加することとしてもよい。
【００１１】
また、前記取得部は、前記共通表示メニューを利用する前記複数のサービスのうちの一部のサービスを対象として、当該サービスを構成する複数のコンテンツから前記特定コンテンツを取得することとしてもよい。
【００１２】
また、前記取得部が一のサービスから複数の前記特定コンテンツを取得した場合、前記追加部は、前記複数の特定コンテンツのうちの一部の特定コンテンツに遷移可能な追加メニューを前記共通表示メニューに対して追加することとしてもよい。
【００１３】
本発明の第２の態様においては、ユーザが用いる端末と、夫々が複数のコンテンツにより構成される複数のサービスに共通する共通表示メニューを当該端末に提供するメニュー生成サーバとを備えるメニュー表示システムであって、前記端末は、前記端末に組み込まれた共通メニュー表示モジュールにより表示される前記複数のサービスに共通して表示され、前記サービスと異なるサービスへのリンクを含む共通表示メニューを前記メニュー生成サーバから取得して表示部に表示させる表示制御部を備え、前記メニュー生成サーバは、前記端末からの要求に応じて、前記複数のサービス夫々のトップコンテンツに遷移可能な共通表示メニューを生成する生成部と、生成した共通表示メニューを前記端末に対して提供する提供部と、を備え、前記生成部は、前記要求を行った前記端末に応じたコンテンツ種別を特定する特定部と、前記サービスを構成する複数のコンテンツから、前記コンテンツ種別に応じた特定コンテンツを取得する取得部と、取得した前記特定コンテンツに遷移可能な追加メニューを前記共通表示メニューに対して追加する追加部と、を含むメニュー表示システムを提供する。
【００１４】
本発明の第３の態様においては、夫々が複数のコンテンツにより構成される複数のサービスに共通する共通表示メニューをユーザが用いる端末に提供するメニュー生成方法であって、前記端末からの要求に応じて、前記複数のサービス夫々のトップコンテンツに遷移可能な共通表示メニューを生成するステップと、前記要求を行った前記端末に応じたコンテンツ種別を特定するステップと、前記サービスを構成する複数のコンテンツから、前記コンテンツ種別に応じた特定コンテンツを取得するステップと、取得した前記特定コンテンツに遷移可能な追加メニューを前記共通表示メニューに対して追加するステップと、前記追加メニューが追加された前記共通表示メニューを前記端末に対して提供するステップと、を含むメニュー生成方法を提供する。
【図面の簡単な説明】
【００１５】
【図１】メニュー表示システムの構成例を示す図である。
【図２】端末の表示部にサービスが表示された例を示す図である。
【図３】端末の表示部にサービスのメニュー画面が表示された例を示す図である。
【図４】メニュー画面の全体構成の例を示す図である。
【図５】端末の表示部に表示される追加メニューの一例を示す図である。
【図６】端末及びメニュー生成サーバの機能構成を示す図である。
【図７】管理機能を発揮する際のメニュー生成サーバの機能構成を示す図である。
【図８】トップコンテンツ記憶部に記憶される情報の一例を示す図である。
【図９】コンテンツ記憶部に記憶される情報の一例を示す図である。
【図１０】履歴記憶部に記憶される情報の一例を示す図である。
【図１１】流出数及び流入数の計数結果の一例を示す図である。
【図１２】メニュー提供機能を発揮する際のメニュー生成サーバの機能構成を示す図である。
【図１３】追加メニューを追加する数の調整方法の一例を示す図である。
【図１４】追加メニューを追加する数の調整方法の一例を示す図である。
【図１５】共通表示メニューを表示するまでの処理の流れを示す図である。
【００１６】
［メニュー表示システムの概要］
初めに、図１から図５を参照して、本発明のメニュー表示システムＳの概要について説明する。図１は、メニュー表示システムＳの構成例を示す図である。
メニュー表示システムＳは、複数のサービスの夫々に共通して用いられる共通表示メニューを用いた共通表示メニューサービスを提供するためのシステムである。メニュー表示システムＳは、端末１と、共通表示メニューを生成するメニュー生成サーバ２と、端末１に対して各サービスが有するコンテンツを提供する複数のコンテンツサーバ３とを含んで構成される。端末１と、メニュー生成サーバ２と、複数のコンテンツサーバ３とは、所定の通信ネットワーク４を介して通信可能に接続されている。
【００１７】
コンテンツサーバ３は、共通表示メニューサービスを利用する複数のサービスパートナーの夫々が管理するサーバである。
端末１は、例えば、スマートフォン等の携帯端末である。端末１は、複数のコンテンツサーバ３にアクセスしてコンテンツを受信し、当該コンテンツを端末１が備える表示部１２に表示する。図２は、端末１の表示部１２の表示例であり、レシピサービスを構成するコンテンツの一例を示す。図２に示すように、表示部１２にはレシピサービスに関するコンテンツ「カレーライスの作り方」が表示されているとともに、タブ１１１が表示されている。
【００１８】
端末１のユーザがタブ１１１にタッチすると、コンテンツの表示画面に代わって、利用中のサービスのメニュー画面が表示される。図３は、端末１の表示部１２の表示例であり、レシピサービスのメニュー画面の一例を示す。また、図４は、レシピサービスで用いられるメニュー画面の全体構成を示す図である。以下、利用中のサービスのメニュー画面を、単にメニュー画面という。
【００１９】
図４に示すように、メニュー画面には、広告枠と、サイトサービスメニューと、共通表示メニューと、タブ１１２とが含まれており、図３に示すように、端末１の表示部１２には、メニュー画面の少なくとも一部が表示される。広告枠は、例えば、コンテンツサーバ３が取得した広告情報を表示するための枠である。なお、広告情報は、コンテンツサーバ３が取得するものとしたが、これに限らず、端末１がメニュー画面を表示する際に、広告サーバ（不図示）から取得するようにしてもよい。
【００２０】
サイトサービスメニューは、メニュー画面が表示される直前に表示されていたサービスのメニューであり、コンテンツサーバ３によって提供される。例えば、図３には、レシピサービスのメニューが表示されている。
【００２１】
共通表示メニューは、共通表示メニューサービスに参加するサービスパートナーのサービスに遷移するためのメニューであり、メニュー生成サーバ２によって提供される。共通表示メニューには、ニュースやショッピングといった複数のカテゴリが表示されており、これらのカテゴリの夫々には、共通表示メニューサービスに参加する複数のサービスパートナーのサービスに遷移するためのアドレス情報（リンク）が関連付けられている。
【００２２】
タブ１１２は、共通表示メニューの表示を止め、共通表示メニューを表示する前に利用していたサービスの表示画面に遷移するための画像である。例えば、図３に示す状態において、端末１のユーザによってタブ１１２がタッチされると、図２に示すレシピサービスの表示画面が再表示される。
【００２３】
以上のようなメニュー表示システムＳでは、端末１のユーザが、共通表示メニューに表示されているカテゴリ名にタッチすると、当該カテゴリに対応するアドレス情報に基づいて、サービスパートナーのサービスに遷移する。これにより、メニュー表示システムＳに参加するサービスパートナーは、自社の顧客だけでなく、他のサービスパートナーのサービスを利用している他社の顧客から自社のサービスへのアクセスを受けることができるので、集客効果の向上が期待できる。
【００２４】
特に、メニュー表示システムＳでは、共通表示メニューサービスに参加するサービス間の連携を強化することで、共通表示メニューサービス全体に対する利用時間の増加を実現している。ここで、サービス間の連携を強化する方法の一例を図５に示す。
【００２５】
共通表示メニューサービスに参加する個々のサービスは、複数のコンテンツから構成される。例えば、図２に示すレシピサービスの場合、「カレーライスの作り方」というコンテンツの他、「オムライスの作り方」「ハンバーグの作り方」といった様々なコンテンツを含み、また、Ｄニュースサイトの場合、「国内ニュース」「海外ニュース」「芸能ニュース」といった様々なコンテンツを含む。これらコンテンツの中には異なるサービス間において関連するコンテンツも存在する。
【００２６】
そこで、図５に示すように、メニュー表示システムＳでは、共通表示メニューサービスに参加する他のサービスの中に、現在利用中のコンテンツに関連するコンテンツが含まれる場合に、当該コンテンツに遷移可能な追加メニューを生成し、共通表示メニューに追加する。
図５に示す例では、レシピサービスの「カレーライスの作り方」を閲覧中のユーザが共通表示メニューを起動した結果、端末１の表示部には、Ｄニュースサイトの「新作カレー登場」というコンテンツや、Ａショッピングサイトの「本場カレー特集」というコンテンツに遷移可能な追加メニューが表示されている。
【００２７】
このようにメニュー表示システムＳでは、各サービスを構成する複数のコンテンツのうちの端末１（ユーザ）に応じた任意のコンテンツに対して遷移することができる。これにより、各サービスにおいて予め設定されたコンテンツ（トップコンテンツ）のみに遷移可能な場合と比較すると、複数のサービス間の連携を強化することができる。
以下、図面を参照して、メニュー表示システムＳの詳細について説明する。
【００２８】
［メニュー表示システムＳの構成］
初めに、図６を参照して、メニュー表示システムＳを構成する端末１及びメニュー生成サーバ２の機能構成について説明する。
【００２９】
［端末１の構成例］
図６に示すように、端末１は、入力部１１と、表示部１２と、無線部１３と、記憶部１４と、制御部１５とを備える。
【００３０】
入力部１１は、例えば、ボタンや、表示部１２に重畳して配置される接触センサ等により構成されており、端末１のユーザから操作入力を受け付ける。
表示部１２は、例えば、液晶ディスプレイや有機ＥＬ（Electro-Luminescence）ディスプレイ等により構成される。表示部１２は、制御部１５の制御に応じて文字や図形等を表示する。
【００３１】
無線部１３は、制御部１５から出力された信号を変調してＲＦ（Radio Frequency）信号を生成し、アンテナ（不図示）を介して当該ＲＦ信号を基地局（不図示）又は無線ＬＡＮ等のアクセスポイント（不図示）に無線送信する。無線部１３は、アンテナを介して基地局又はアクセスポイントから受信したＲＦ信号を復調し、復調により得られた信号を制御部１５に出力する。以下の説明において、端末１は、無線部１３を介してメニュー生成サーバ２及びコンテンツサーバ３と通信を行うものとする。
【００３２】
記憶部１４は、例えば、ＲＯＭ及びＲＡＭ等により構成される。記憶部１４は、端末１を機能させるための各種プログラムを記憶する。例えば、記憶部１４は、端末１の制御部１５を、後述する端末送信部１５１、端末受信部１５２、表示制御部１５３として機能させるためのプログラムを記憶する。記憶部１４は、外部メモリ等の記憶媒体に記憶されたプログラムを読み取って記憶してもよく、通信ネットワーク４を介して外部機器からダウンロードされたプログラムを記憶してもよい。
【００３３】
制御部１５は、例えば、ＣＰＵにより構成される。制御部１５は、記憶部１４に記憶されている各種プログラムを実行することにより、端末１に係る機能を統括的に制御する。制御部１５は、端末送信部１５１と、端末受信部１５２と、表示制御部１５３とを備える。
【００３４】
端末送信部１５１は、利用中のサービスを構成するコンテンツの取得操作を入力部１１が受け付けたことに応じて、当該サービスを管理するコンテンツサーバ３に対して、コンテンツの取得リクエストを送信する。
端末受信部１５２は、コンテンツサーバ３から、当該取得リクエストに対応するコンテンツを受信するとともに、当該コンテンツに対応するサービスのサイトサービスメニューを受信する。
【００３５】
表示制御部１５３は、図２に示すように、コンテンツサーバ３から受信したコンテンツ、及びメニュー画面を表示させるためのタブ１１１を表示部１２に表示する。ここで、端末受信部１５２が受信したサイトサービスメニューは、タブ１１１がタッチされるまで表示されず、表示待ち状態となる。そのため、サイトサービスメニューは、端末受信部１５２によって、記憶部１４に一時的に記憶される。
【００３６】
その後、入力部１１によってタブ１１１を選択する操作を受け付けると、表示制御部１５３は、表示部１２にメニュー画面を表示し、当該メニュー画面に記憶部１４に一時的に記憶されているサイトサービスメニューを表示する。
このとき、メニュー画面のソースコードには、共通表示メニューをメニュー生成サーバ２から取得するためのスクリプト（例えば、Ａｊａｘ）が含まれており、端末送信部１５１は、当該スクリプトに基づいて、メニュー生成サーバ２に共通表示メニューの取得リクエストを送信する。この取得リクエストに応じて、端末受信部１５２が共通表示メニューをメニュー生成サーバ２から受信すると、表示制御部１５３は、受信した共通表示メニューをサイトサービスメニューに追加することで、表示部１２にメニュー画面を表示する。
【００３７】
［メニュー生成サーバ２の構成例］
続いて、メニュー生成サーバ２の機能構成について説明する。メニュー生成サーバ２は、記憶部２１と、制御部２２とを備える。
【００３８】
記憶部２１は、例えば、ＲＯＭ及びＲＡＭ等により構成される。記憶部２１は、メニュー生成サーバ２を機能させるための各種プログラムを記憶する。例えば、記憶部２１は、メニュー生成サーバ２の制御部２２が管理機能２３及びメニュー提供機能２４を発揮するためのプログラムを記憶する。記憶部２１は、外部メモリ等の記憶媒体に記憶されたプログラムを読み取って記憶してもよく、通信ネットワーク４を介して外部機器からダウンロードされたプログラムを記憶してもよい。
【００３９】
制御部２２は、例えば、ＣＰＵにより構成される。制御部２２は、記憶部２１に記憶されている各種プログラムを実行することにより、管理機能２３及びメニュー提供機能２４を発揮する。
【００４０】
管理機能２３は、サービス間の連携を強化するための各種情報を管理する機能である。また、メニュー提供機能２４は、端末１からの取得リクエスト（タブ１１１の選択）に応じて共通表示メニューを生成し、当該端末１に対して提供する機能である。
以下、制御部２２の管理機能２３及びメニュー提供機能２４の詳細について説明する。
【００４１】
［管理機能２３の詳細］
図７は、管理機能２３が発揮される場合の記憶部２１及び制御部２２の構成を示す図である。
図７に示すように、管理機能２３が発揮される場合、記憶部２１は、トップコンテンツ記憶部２１１と、コンテンツ記憶部２１２と、履歴記憶部２１３と、を含んで構成される。
【００４２】
図８は、トップコンテンツ記憶部２１１に記憶されている情報の一例を示す図である。図８に示すように、トップコンテンツ記憶部２１１は、サービスパートナーのサービスを識別するサービスＩＤに対応付けて、サービスの名称、当該サービスにおけるトップコンテンツを呼び出すアドレス情報及び当該サービスが属するカテゴリを記憶する。
トップコンテンツは、夫々のサービスのトップページに相当するコンテンツである。共通表示メニュー（図４参照）では、各カテゴリに応じたサービスのトップコンテンツに遷移するためのリンクが設定されている。
【００４３】
また、サービスを呼び出すアドレス情報は、例えばウェブページを読み出すためのＵＲＬであってもよいし、アプリケーション起動指示を含むように記述されたＵＲＬスキームであってもよい。この場合には、端末１に指示されたアプリケーションがインストールされている場合には、指示されたアプリケーションが起動する一方で、指示されたアプリケーションがインストールされていない場合には、アプリケーションをインストールするためのストアサイトに遷移させることとしてもよい。
【００４４】
コンテンツ記憶部２１２は、複数のサービスの夫々について、当該サービスを構成する複数のコンテンツ夫々の内容、タイトル及びアドレス情報を記憶する。図９は、コンテンツ記憶部２１２に記憶されている情報の一例を示す図である。図９に示す例では、サービス内のコンテンツの構成を示すサイトマップを、サービス毎に設けることとしている。
メニュー生成サーバ２は、コンテンツ記憶部２１２に記憶される情報を用いて、追加メニューを生成する。具体的には、メニュー生成サーバ２は、トップコンテンツ以外のコンテンツを遷移先として設定した追加メニューを生成し、共通表示メニューに対して追加する。これにより、共通表示メニューでは、予め設定されたトップコンテンツだけでなくその他任意のコンテンツに遷移することができる。
【００４５】
なお、コンテンツ記憶部２１２は、各サービスを管理するサービスパートナーから夫々のコンテンツの内容、タイトル及びアドレス情報を受け付けることで、各種情報を記憶することとしてもよく、また、クローラが定期的に各サービスを巡回し、夫々のコンテンツに設定されたタグ（メタ情報）を取得することで、各種情報を記憶することとしてもよい。
【００４６】
履歴記憶部２１３は、共通表示メニューサービス内の端末１（ユーザ）の履歴を記憶する。図１０は、履歴記憶部２１３に記憶されている情報の一例を示す図であり、履歴記憶部２１３は、端末１の種別に対応付けて当該端末１の履歴情報を記憶している。履歴情報は、例えば、端末１において一のサービスを利用した利用回数や、端末１において一のサービスから他のサービスに遷移したことを示す遷移情報（例えば、遷移元のサービスと遷移先のサービスとの対応関係）である。
【００４７】
履歴記憶部２１３が記憶する履歴は、端末１（ユーザ）毎の履歴であってもよく、また、共通表示メニューサービスを利用する全ての端末１（全ユーザ）の履歴であってもよく、双方の履歴であってもよい。サービスの利用回数を例にとると、端末１毎の履歴によれば、当該ユーザがよく利用するサービスを把握することができ、全ての端末１の履歴によれば、全ユーザにおいて人気のサービスを把握することができる。
【００４８】
図７に戻り、管理機能２３が発揮される場合、制御部２２は、受付部２３１と、履歴管理部２３２と、を含んで構成される。
【００４９】
受付部２３１は、複数のサービスパートナーの管理端末（不図示）の夫々から、自身のサービスに関する登録リクエストを受け付ける。具体的には、受付部２３１は、サービスパートナーの管理端末の夫々から、共通表示メニューに表示するサービスに関する情報（サービスＩＤ、トップコンテンツのアドレス情報等）を受け付ける。また、受付部２３１は、サービスパートナーの管理端末の夫々から、サービスを構成する各コンテンツに関する情報（各コンテンツの内容、タイトル及びアドレス情報等）を受け付けることとしてもよい。
受付部２３１が受け付けた情報は、トップコンテンツ記憶部２１１及びコンテンツ記憶部２１２に記憶される。
【００５０】
履歴管理部２３２は、個々の端末１又は全ての端末１における共通表示メニューサービス内の履歴を管理する。ここで、共通表示メニューを介してサービスを遷移した場合、端末１は、設定されたアドレス情報に従い遷移先のサービスに応じたコンテンツサーバ３にアクセスすることになるが、メニュー生成サーバ２（履歴管理部２３２）において、端末１の履歴を管理する方法は任意である。例えば、端末１からのアクセスがあった場合にコンテンツサーバ３からメニュー生成サーバ２に対して所定の通知を行うことで、メニュー生成サーバ２において端末１の履歴を管理することとしてもよく、また、共通表示メニューに、サービスを遷移する際にメニュー生成サーバ２に対して所定の通知を行うためのスクリプト（例えば、Ａｊａｘ）を含めておくことで、メニュー生成サーバ２において端末１の履歴を管理することとしてもよい。
【００５１】
履歴管理部２３２は、個々の端末１又は端末１全体におけるサービスの利用回数を計数し、履歴記憶部２１３に記憶する。
また、履歴管理部２３２は、端末１が利用したコンテンツの履歴から、当該端末１のユーザが好むコンテンツの分野（例えば、政治、経済、芸能等）を特定し、履歴記憶部２１３に記憶する。
【００５２】
また、履歴管理部２３２は、複数のサービスの夫々に対して流出数及び流入数を計数する。流出数は、端末１が共通表示メニューサービスに参加する複数のサービスのうちの一のサービスの提供を受けている間に、共通表示メニューを介して当該一のサービスから他のサービスに遷移した数を示し、流入数は、端末１が他のサービスの提供を受けている間に、共通表示メニューを介して当該一のサービスに遷移した数を示す。例えば、「Ａショッピング」を利用しているユーザが、共通表示メニューを介して「Ｂラジオ」に遷移した場合、履歴管理部２３２は、「Ａショッピング」の流出数に「１」加算し、「Ｂラジオ」の流入数に「１」加算する。
【００５３】
なお、履歴管理部２３２は、一のサービスに対して計数する流出数及び流入数を、遷移先の他のサービス及び遷移元の他のサービス毎に計数することとしてもよい。具体的には、上述の例の場合、履歴管理部２３２は、「Ａショッピング」の流出数のうち、遷移先を「Ｂラジオ」とする流出数に「１」加算し、「Ｂラジオ」の流入数のうち、遷移元を「Ａショッピング」とする流入数に「１」加算する。
履歴管理部２３２は、計数した流出数及び流入数を、上述の遷移情報として履歴記憶部２１３に記憶する。
【００５４】
ここで、履歴管理部２３２が計数した流出数及び流入数の一例を、図１１（Ａ）に示す。流出数及び流入数からは、あるサービスから他のサービスへの遷移のし易さを把握することができる。例えば、サービスＩＤ「ＡＡＡＡ」の「Ａショッピング」に着目すると、図１１（Ｂ）に示すように、サービスＩＤ「ＣＣＣＣ」の「Ｃカレンダー」に遷移し易いものの、サービスＩＤ「ＥＥＥＥ」の「Ｅ旅行」には遷移し難いことが分かる。
また、流出数及び流入数からは、共通表示メニューの利用時間増加に対する各サービスの貢献度合いを把握することができる。例えば、流出数が多いサービス（又は流入数に対して流出数の割合が高いサービス）は、共通表示メニューサービスに参加する他のサービスに対してユーザを多く誘導しているため、貢献度が高いサービスといえ、反対に、流出数が少ないサービス（又は流入数に対して流出数の割合が低いサービス）は、貢献度が低いサービスといえる。
【００５５】
このように、流出数及び流入数の計数結果からは、あるサービスから他のサービスへの遷移のし易さ（以下では、サービス間の「連携度」と呼ぶことがある）、及び共通表示メニューの利用時間増加に対する各サービスの貢献度合い（以下では、単に「貢献度」と呼ぶことがある）を把握することができる。そして、流出数及び流入数を、端末１毎に計数することで、端末１毎にこれら傾向を把握することができ、また、全ての端末１に対して計数することで、共通表示メニューサービス全体におけるこれら傾向を把握することができる。
【００５６】
［メニュー提供機能２４の詳細］
以上、管理機能２３について説明した。続いて、図１２を参照して、メニュー提供機能２４が発揮される場合の記憶部２１及び制御部２２の構成について説明する。
図１２に示すように、メニュー提供機能２４が発揮される場合、記憶部２１は、トップコンテンツ記憶部２１１と、コンテンツ記憶部２１２と、履歴記憶部２１３と、を含んで構成され、また、制御部２２は、サーバ受信部２４１と、生成部２４２と、提供部２４３と、を含んで構成される。
【００５７】
サーバ受信部２４１は、端末１から、共通表示メニューの取得リクエストを受信する。なお、共通表示メニューの取得リクエストは、上述したように、端末１においてタブ１１１（図２参照）が選択されることで、端末１からメニュー生成サーバ２に送信される。
【００５８】
生成部２４２は、端末１から取得リクエストを受信すると、複数のサービスの夫々に遷移可能な共通表示メニューを生成する。具体的には、生成部２４２は、トップコンテンツ記憶部２１１を参照して共通表示メニューのカテゴリに対応するサービスのトップコンテンツのアドレス情報を特定し、当該トップコンテンツに遷移可能な共通表示メニューを生成する。
【００５９】
なお、共通表示メニューに表示されるカテゴリは、予め定められているものとする。このとき、一のカテゴリに対して一のサービスのみが対応付けられている場合には、生成部２４２は、当該サービスのトップコンテンツに遷移可能な共通表示メニューを生成し、一のカテゴリに対して複数のサービスが対応付けられている場合には、生成部２４２は、当該複数のサービスのうちの任意の一のサービスのトップコンテンツに遷移可能な共通表示メニューを生成する。
もちろん、一のカテゴリに対して複数のサービスが対応付けられている場合に、生成部２４２は、当該複数のサービスのうちの二以上のサービスのトップコンテンツに遷移可能な共通表示メニューを生成することとしてもよい。一例として、一のカテゴリに対して複数のサービスのアドレス情報を特定した場合、生成部２４２は、当該一のカテゴリが選択されたことに応じて、当該カテゴリに関連する複数のサービスを選択可能に表示するように共通表示メニューを生成することとしてもよい。
【００６０】
また、生成部２４２は、共通表示メニューにおいて、カテゴリ、サービス名、サービスに対応するアイコンの少なくとも何れかを表示させてもよい。例えば、生成部２４２は、共通表示メニューにおいて、カテゴリとサービス名とを併記したり、カテゴリの代わりにサービス名を表示させたりしてもよい。
【００６１】
なお、共通表示メニューを構成するサービスは、ウェブページである場合もあれば、アプリケーションである場合もある。そこで、生成部２４２は、種別（ウェブページ、アプリケーション等）に応じて異なる態様でリンクを表示する共通表示メニューを生成することとしてもよい。例えば、サービスがウェブページである場合に記号等を表示せず、アプリケーションである場合に所定のアプリケーションに切り替わる旨を示す記号等を表示することとしてもよい。このようにすることで、端末１のユーザは、サービスを選択した際に他のウェブページに遷移するのか、他のアプリケーションが実行されるのかを把握することができる。
【００６２】
また、上述のように、メニュー表示システムＳでは、共通表示メニューを介して、夫々のサービスのトップコンテンツだけでなく当該サービスを構成する複数のコンテンツのうちの任意のサービスにも遷移可能にすることで、サービス間の連携を強化する。
そのため、生成部２４２は、特定部２４４と、取得部２４５と、追加部２４６と、を含んで構成される。
【００６３】
特定部２４４は、取得リクエストを行った端末１に応じたコンテンツ種別を特定する。サービス間の連携を強化する方法としては、上述したように、端末１（ユーザ）が現在利用しているコンテンツに関連する他のコンテンツに遷移可能にする方法の他、端末１（ユーザ）がよく利用する傾向にあるコンテンツに関連する他のコンテンツに遷移可能にする方法が考えられる。
【００６４】
前者は、例えば、図５に示すように、ユーザがレシピサービスにおいてコンテンツ「カレーライスの作り方」を利用している場合に、他のサービスである「Ａショッピング」において「本場カレー特集」というコンテンツに遷移可能にすることである。
この場合、特定部２４４は、取得リクエストを行ったタイミングで端末１に対して提供されているコンテンツに基づいて、取得リクエストを行った端末１に応じたコンテンツ種別を特定する。具体的には、特定部２４４は、コンテンツ記憶部２１２を参照して、当該タイミングで提供されているコンテンツの内容を抽出し、コンテンツ種別として特定する。
【００６５】
また、後者は、例えば、端末１の過去の履歴からユーザが「家電」に対して興味があると特定できた場合に、ニュースサービスにおける「家電関連のニュース」というコンテンツやショッピングサービスにおける「最新家電特集」というコンテンツに遷移可能にすることである。
この場合、特定部２４４は、取得リクエストを行ったタイミングよりも前に端末１に対して提供されたコンテンツの履歴に基づいて、取得リクエストを行った端末１に応じたコンテンツ種別を特定する。具体的には、特定部２４４は、履歴記憶部２１３を参照して、端末１のユーザが興味を持っているコンテンツの分野を抽出し、コンテンツ種別として特定する。
【００６６】
取得部２４５は、複数のサービスの夫々を構成する複数のコンテンツから、特定部２４４が特定したコンテンツ種別に応じたコンテンツ（特定コンテンツ）を取得する。取得部２４５による取得方法は任意であるが、一例として、取得部２４５は、特定部２４４が特定したコンテンツ種別を検索ワードとしてコンテンツ記憶部２１２を検索することで、コンテンツ種別に応じたコンテンツを取得することとしてもよく、また、特定部２４４が特定したコンテンツ種別を所定の変換方法により内容推定語句に変換し、この内容推定語句を検索ワードとしてコンテンツ記憶部２１２を検索することで、コンテンツ種別に応じたコンテンツを取得することとしてもよい。
【００６７】
追加部２４６は、取得部２４５が取得した特定コンテンツに遷移可能な追加メニューを生成し、共通表示メニューに対して追加する。具体的には、追加部２４６は、特定コンテンツのタイトル及びアドレス情報をコンテンツ記憶部２１２から読み出し、当該タイトルをメニュー名、アドレス情報を遷移先とする追加メニューを生成し、共通表示メニューに対して追加する。これにより、共通表示メニューには、夫々のサービスのトップコンテンツに遷移可能なメニューと、任意のコンテンツに遷移可能な追加メニューとが含まれることになる。
【００６８】
ところで、このような追加メニューは、適切な頻度で追加される限りはユーザも関心を持ち、サービス間の連携を強化することができるものの、不必要に多くの追加メニューが追加される状況では、ユーザの追加メニューに対する関心が低下し、サービス間の連携を強化することができない。
そこで、生成部２４２は、追加メニューを追加する数を調整する機能を有することとしてもよい。このような調整は、追加メニューを追加するサービス数、及び／又は一のメニューに対して追加する追加メニューの数に対して行うことができる。
【００６９】
［追加メニューを追加するサービス数の調整］
共通表示メニューサービスに参加する複数のサービスは、夫々が多数のコンテンツから構成されるため、複数のサービスのうち２以上のサービスにおいて、端末１のコンテンツ種別に応じたコンテンツ（特定コンテンツ）が存在する場合がある。図１３（Ａ）に示す例では、「Ｄニュース」「Ａショッピング」等の６つのサービスにおいて特定コンテンツが存在し、当該６つのサービスに対して追加メニューが追加されている。
この場合、生成部２４２は、図１３（Ｂ）に示すように、追加メニューを追加するサービス数を適切な数に調整し、追加メニューに対するユーザの関心が低下してしまうことを防止する。なお、適切なサービス数は、適宜任意に設定することができる。
【００７０】
生成部２４２によるサービス数の調整方法は任意であり、例えば、特定コンテンツを検索した結果、複数のサービスにおいて特定コンテンツが存在した場合に調整することとしてもよく、また、そもそも検索する対象のサービスを限定することで、追加メニューを追加するサービス数を調整することとしてもよい。
具体的には、取得部２４５が共通表示メニューを利用する複数のサービスのうちの２以上のサービスにおいて特定コンテンツを取得した場合に、追加部２４６が当該２以上のサービスのうちの一部のサービスについての特定コンテンツに遷移可能な追加メニューを共通表示メニューに対して追加することとしてもよく、また、取得部２４５が共通表示メニューを利用する複数のサービスのうちの一部のサービスを対象として、当該サービスを構成する複数のコンテンツから特定コンテンツを取得することとしてもよい。
【００７１】
また、対象とする一部のサービスの決定方法も任意であり、一例として、取得部２４５又は追加部２４６は、取得リクエストを行った端末１（ユーザ）の履歴又は共通表示メニューサービスを利用する全ての端末１（全ユーザ）の履歴に基づいて、対象とする一部のサービスを決定する。
上述のように、履歴記憶部２１３に記憶された履歴からは、サービス間の連携度及び各サービスの貢献度を把握することができる。取得部２４５又は追加部２４６は、ユーザ又は全ユーザの履歴から把握できるサービス間の連携度及び各サービスの貢献度に基づいて、対象とする一部のサービスを決定する。
【００７２】
サービス間の連携度に基づいて一部のサービスを決定する場合、取得部２４５又は追加部２４６は、取得リクエストを行ったタイミングで端末１に対して提供されているサービスとの間の連携度に基づいて、一部のサービスを決定する。
【００７３】
一例として、取得リクエストを行ったタイミングで提供されているサービスからの流出数が多いサービスを一部のサービスとして決定することで、サービス間の連携度をより高めることができる。その結果、ユーザが追加メニューに応じて当該一部のサービスに遷移することが期待でき、共通表示メニューサービス内でユーザが回遊することになり、共通表示メニューサービスに対する利用時間の増加が期待できる。
また、当該タイミングで提供されているサービスからの流出数が少ないサービスを一部のサービスとして決定することで、本来であれば連携度が低いサービス間の連携度を高めることができる。その結果、共通表示メニューサービス内においてサービス間の新たな移動経路を構築することができ、共通表示メニューサービスに対する利用時間の増加が期待できる。
【００７４】
なお、対象とする一部のサービスは、取得リクエストを行ったタイミングで提供されているサービスからの流出数が多い所定数のサービスであってもよく、また、当該サービスからの流出数が少ない所定数のサービスであってもよく、また、当該サービスからの流出数が多い所定数のサービスと流出数が少ない所定数のサービスとであってもよい。
【００７５】
また、各サービスの貢献度に基づいて一部のサービスを決定する場合、取得部２４５又は追加部２４６は、貢献度の高いサービス、貢献度の低いサービス、又はその双方を一部のサービスとして決定する。
貢献度の高いサービスを一部のサービスとして決定することで、追加メニューを介して当該サービスに遷移したユーザがその後、共通表示メニューサービス内を回遊することが期待でき、共通表示メニューサービスに対する利用時間の増加が期待できる。また、貢献度の低いサービスを一部のサービスとして決定することで、新たなサービスパートナーのような貢献度が全くないサービスパートナーに対しても、追加メニューによりユーザを誘導できるため、新たなサービスパートナーの参加が期待でき共通表示メニューサービス全体におけるサービが充実し、結果、共通表示メニューサービスを利用するユーザの増加が期待できる。
【００７６】
［一のサービスに対して追加する追加メニューの数の調整］
共通表示メニューサービスに参加するサービスは、多数のコンテンツから構成されるため、一のサービス内に端末１のコンテンツ種別に応じたコンテンツ（特定コンテンツ）が複数存在する場合がある。図１４（Ａ）に示す例では、サービス「Ｅ旅行」において、４つの特定コンテンツが存在する結果、サービス「Ｅ旅行」に対して４つの追加メニューが追加されている。一のサービスにおいて複数の追加メニューが追加されると、追加メニューに対するユーザの関心が低下するだけでなく、他のサービスのメニューが表示されなくなってしまう。
そこで、生成部２４２は、図１４（Ｂ）に示すように、一のサービスに対して追加する追加メニューの数を適切な数に調整する。なお、適切な数は、適宜任意に設定することができる。
【００７７】
具体的には、取得部２４５が一のサービスから複数の特定コンテンツを取得した場合に、追加部２４６は、当該複数の特定コンテンツのうちの一部の特定コンテンツに遷移可能な追加メニューを共通表示メニューに対して追加する。例えば、取得部２４５は、コンテンツ記憶部２１２を検索することで特定コンテンツを取得するところ、追加部２４６は、取得した複数の特定コンテンツのうち、検索スコアの高い所定数の特定コンテンツを、一部の特定コンテンツとして決定する。
【００７８】
なお、図１４（Ｂ）に示すように、生成部２４２は、追加メニューの数の調整と併せて、共通表示メニューに対して展開ボタン１１５を追加することとしてもよい。この展開ボタン１１５が選択されると、図１４（Ａ）に示す、調整前の追加メニューが共通表示メニューに表示、即ち、一のサービスに対して複数の追加メニューが表示される。
【００７９】
提供部２４３は、生成部２４２が生成した共通表示メニュー、即ち、追加メニューが追加された共通表示メニューを、取得リクエストを行った端末１に対して送信する。
【００８０】
［メニュー表示システムＳの処理］
以上、メニュー表示システムＳの構成について説明した。続いて、図１５を参照して、メニュー表示システムＳの処理の流れについて説明する。
【００８１】
初めに、ステップＳ１０において、共通表示メニューサービスに参加するサービスパートナーの夫々が用いる管理端末から登録リクエストを受け付けると、メニュー生成サーバ２の受付部２３１は、当該登録リクエストに応じて各種情報をトップコンテンツ記憶部２１１及びコンテンツ記憶部２１２に記憶する。
【００８２】
続いて、端末１の端末送信部１５１がコンテンツサーバ３にコンテンツの取得リクエストを送信すると、ステップＳ２０において、コンテンツサーバ３は、自身の記憶部に記憶されているコンテンツ及びサイトサービスメニューを取得し、端末１に送信する。
【００８３】
続いて、端末受信部１５２が、コンテンツサーバ３からコンテンツ及びサイトサービスメニューを受信すると、ステップＳ３０において、表示制御部１５３は、当該コンテンツと、メニュー画面を呼び出すためのタブ１１１とを表示部１２に表示する。また、端末受信部１５２は、受信したサイトサービスメニューを記憶部１４に一時的に記憶する。
【００８４】
続いて、ステップＳ４０において、表示制御部１５３は、タブ１１１が選択されたか否かを判定する。タブ１１１が選択された場合、ステップＳ５０において、表示制御部１５３は、記憶部１４からサイトサービスメニューを読み出し、メニュー画面として表示部１２に表示する。このとき、端末送信部１５１は、メニュー画面に含まれている、共通表示メニューをメニュー生成サーバ２から取得するためのスクリプトに基づいて、メニュー生成サーバ２に共通表示メニューの取得リクエストを送信する。
【００８５】
続いて、サーバ受信部２４１が、端末１から共通表示メニューの取得リクエストを受信すると、ステップＳ６０において、生成部２４２は、トップコンテンツ記憶部２１１を参照し、共通表示メニューのカテゴリに対応するサービスのトップコンテンツのアドレス情報を特定する。続いて、ステップＳ７０において、生成部２４２は、カテゴリとアドレス情報とを関連付けて、夫々のサービスのトップコンテンツに遷移可能な共通表示メニューを生成する。
【００８６】
続いて、ステップＳ８０において、生成部２４２は、追加メニューを生成し、ステップＳ７０で生成した共通表示メニューに対して追加する。この処理では、生成部２４２は、取得リクエストを行った端末１に応じたコンテンツ種別を特定し、このコンテンツ種別に対応する特定コンテンツを、共通表示メニューサービスに参加する夫々のサービスの中から取得する。そして、生成部２４２は、取得した特定コンテンツのタイトル及びアドレス情報をコンテンツ記憶部２１２から読み出し、当該タイトルをメニュー名、当該アドレス情報を遷移先とする追加メニューを生成し、共通表示メニューに対して追加する。続いて、提供部２４３は、生成された共通表示メニューを端末１に送信する。
【００８７】
続いて、端末受信部１５２が、メニュー生成サーバ２から共通表示メニューを受信すると、ステップＳ９０において、表示制御部１５３は、当該共通表示メニューを含むメニュー画面を表示部１２に表示する。
なお、共通表示メニューに設定するリンク先に現在表示しているサービスが含まれる場合には、当該サービスに該当する部分を異なる配色にしてもよいし、また、選択無効にするように制御してもよい。また、サイトサービスメニューは、タブ１１１が選択されたことに応じてメニュー画面に表示されるものとしたが、これに限らない。例えば、サイトサービスメニューの表示は、コンテンツの表示と同時に行われてもよい。そして、タブ１１１が選択されたことに応じて、共通表示メニューのみ表示してもよい。
【００８８】
続いて、端末１において、共通表示メニューに対する操作が行われた場合、端末１からメニュー生成サーバ２に対して、当該操作の内容を示す操作情報が送信される。操作情報は、例えば、現在表示しているサービスから他のサービスに遷移することを示す情報であり、操作情報を受信すると、ステップＳ１００において、メニュー生成サーバ２の履歴管理部２３２は、操作情報を送信した端末１又は全ての端末１における履歴を更新し、履歴記憶部２１３に記憶する。
【００８９】
［メニュー表示システムＳの効果］
以上、メニュー表示システムＳの好適な一実施形態について説明した。メニュー表示システムＳでは、複数のサービスに共通する共通表示メニューを端末１に提供する際に、夫々のサービスのトップコンテンツだけでなく、サービス内の任意のコンテンツ（特定コンテンツ）に遷移可能な共通表示メニューを生成し、端末１に対して提供する。
具体的には、メニュー表示システムＳでは、取得リクエストを行った端末１に応じたコンテンツ種別を特定し、夫々のサービスの中から当該コンテンツ種別に応じた特定コンテンツを取得する。そして、メニュー表示システムＳでは、この特定コンテンツに遷移可能な追加メニューを共通表示メニューに追加する。
【００９０】
ここで、端末１に応じたコンテンツ種別とは、例えば、端末１において現在利用しているコンテンツや、端末１のユーザがよく利用する傾向にあるコンテンツ（過去の履歴）に基づいて特定される端末１毎に固有の情報である。このような端末１に固有のコンテンツ種別に応じた特定コンテンツへの追加メニューを共通表示メニューに対して追加することで、端末１のユーザが追加メニューを介して他のサービスに遷移することが期待できる。
【００９１】
このように、共通表示メニューでは、各サービスにおいて予め設定されたトップコンテツだけでなく、各サービス内の任意のコンテンツに対して遷移することができるため、共通表示メニューの利便性を強化することができる。また、この任意のコンテンツは、端末１のユーザに固有のコンテンツであるため、共通表示メニューを介して当該任意のコンテンツに遷移する可能性が高く、単にトップコンテンツのみに遷移可能な場合と比較すると、複数のサービス間の連携を強化することができる。
【００９２】
また、メニュー表示システムＳでは、共通表示メニューに対して追加する追加メニューが多い場合に追加メニューを追加する数を調整する。この調整は、追加メニューを追加するサービス数、及び／又は一のメニューに対して追加する追加メニューの数に対して行うことができ、このような調整を行うことで、追加メニューを追加する頻度を適切に制御することができる。これにより、追加メニューに対するユーザの関心が薄れてしまうことを防止でき、サービス間の連携を適切に強化することができる。
【００９３】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。特に、装置の分散・統合の具体的な実施形態は以上に図示するものに限られず、その全部又は一部について、種々の付加等に応じて、又は、機能負荷に応じて、任意の単位で機能的又は物理的に分散・統合して構成することができる。
例えば、上記実施形態のトップコンテンツ記憶部２１１、コンテンツ記憶部２１２、及び履歴記憶部２１３の夫々は、メニュー生成サーバ２とは異なる他のサーバが備えるようにしてもよい。
【００９４】
また、上記実施形態では、端末１にメニュー画面を表示する場合、端末１に一時的に記憶されているサイトサービスメニューを読み出すとともに、通信ネットワーク４を介してメニュー生成サーバ２にアクセスすることで共通表示メニューを取得することとしている。この点、例えば、端末１に基地局から発信される電波が届かず通信できない場合であっても、共通表示メニューを含むメニュー画面を表示可能とするために、共通表示メニューを示す情報を端末１の記憶部１４に一時的に記憶させるようにしてもよい。
【００９５】
具体的には、記憶部１４を、取得した共通表示メニューを示す情報を一時的に記憶するメニュー記憶部として機能させる。そして、表示制御部１５３は、共通表示メニューの取得リクエストをメニュー生成サーバ２に送信してから所定時間経過しても、メニュー生成サーバ２から共通表示メニューを取得できない場合、記憶部１４に一時的に記憶されている共通表示メニュー（即ち、過去の通信可能であったタイミングで取得していた共通表示メニュー）を表示してもよい。このようにすることで、端末１は、通信ができない状態であってもエラー画面とせずに、共通表示メニューを表示させることができる。また、表示制御部１５３は、記憶部１４に共通表示メニューを示す情報と、当該情報を記憶した時刻とを記憶しておき、当該時刻から所定時間経過する前に共通表示メニューを表示させる場合に、記憶部１４に記憶されている共通表示メニューを取得して表示させてもよい。
【００９６】
また、端末１において共通表示メニューに含まれているカテゴリを選択した場合の表示態様は任意である。例えば、表示制御部１５３は、当該カテゴリに対応するサービスに対応付けられたアドレス情報に基づくコンテンツを表示することとしてもよく、当該コンテンツではなく、サービスのメニュー画面を表示することとしてもよい。サービスのメニュー画面を先ず表示することで、サービスの遷移時に連続してメニュー画面が表示されるので、自然な流れでサービス間を遷移させることができる。また、表示制御部１５３は、最初に当該サービスのメニュー画面を表示し、所定時間経過した後にアドレス情報に基づくコンテンツの表示画面を表示することとしてもよい。
【符号の説明】
【００９７】
１・・・端末、１１・・・入力部、１２・・・表示部、１３・・・無線部、１４・・・記憶部、１５・・・制御部、１５１・・・端末送信部、１５２・・・端末受信部、１５３・・・表示制御部、２・・・メニュー生成サーバ、２１・・・記憶部、２１１・・・トップコンテンツ記憶部、２１２・・・コンテンツ記憶部、２１３・・・履歴記憶部、２２・・・制御部、２３・・・管理機能、２３１・・・受付部、２３２・・・履歴管理部、２４・・・メニュー提供機能、２４１・・・サーバ受信部、２４２・・・生成部、２４３・・・提供部、２４４・・・特定部、２４５・・・取得部、２４６・・・追加部、３・・・コンテンツサーバ、４・・・通信ネットワーク、Ｓ・・・メニュー表示システム
【図１】
0006436813.tif 000002
【図２】
0006436813.tif 000003
【図３】
0006436813.tif 000004
【図４】
0006436813.tif 000005
【図５】
0006436813.tif 000006
【図６】
0006436813.tif 000007
【図７】
0006436813.tif 000008
【図８】
0006436813.tif 000009
【図９】
0006436813.tif 000010
【図１０】
0006436813.tif 000011
【図１１】
0006436813.tif 000012
【図１２】
0006436813.tif 000013
【図１３】
0006436813.tif 000014
【図１４】
0006436813.tif 000015
【図１５】
0006436813.tif 000016